(57)【要約】【課題】接続構成の簡略化及び設備コストの削減を図りつつデータ伝送効率の低下を抑制し、さらに、装置の省電力化を図る。【解決手段】通信装置は、ネットワークケーブルを介して接続された他の装置にクロック信号に基づいて信号を送信する送信手段と、他の装置から送信された信号を受信する受信手段とを備えている。そして、上記他の装置に送信する送信信号に基づいて上記クロック信号を周波数変調する信号重畳手段を備えると共に、上記送信手段は、上記信号重畳手段にて周波数変調した上記クロック信号に基づいて上記他の装置に対する信号送信処理を行う。さらに、上記受信手段は受信した受信信号からクロック信号を抽出すると共に、上記抽出したクロック信号を周波数復調し、当該クロック信号の変調に用いられた送信信号を抽出する信号抽出手段を備えている。【選択図】図１
2010068428.tif 000002
【特許請求の範囲】
【請求項１】
ネットワークケーブルを介して接続された他の装置に、クロック信号に基づいて信号を送信する送信手段と、
前記他の装置に送信する送信信号に基づいて前記クロック信号を周波数変調する信号重畳手段と、を備え、
前記送信手段は、前記信号重畳手段にて周波数変調した前記クロック信号に基づいて他の装置に対する信号送信処理を行う、
ことを特徴とする通信装置。
【請求項２】
前記信号重畳手段は、前記送信信号を同一信号が所定数以上連続することを防止するよう符号化し、当該符号化したデータに基づいて前記クロック信号を周波数変調する、
ことを特徴とする請求項１記載の通信装置。
【請求項３】
前記信号重畳手段は、前記送信信号を４Ｂ／５Ｂ変換にて符号化する、
ことを特徴とする請求項２記載の通信装置。
【請求項４】
前記信号重畳手段は、前記符号化したデータを３値以上に多値化変換し、当該多値化したデータに基づいて前記クロック信号を周波数変調する、
ことを特徴とする請求項２又は３記載の通信装置。
【請求項５】
前記信号重畳手段は、前記符号化したデータをＭＬＴ−３変換して３値化し、当該ＭＬＴ−３（Multi Level Transmission-3）変換したデータに基づいて前記クロック信号を周波数変調する、
ことを特徴とする請求項２，３又は４記載の通信装置。
【請求項６】
ネットワークケーブルを介して接続された他の装置から送信された信号を受信する受信手段を備え、
前記受信手段は受信した受信信号からクロック信号を抽出すると共に、
前記抽出したクロック信号を周波数復調し、当該クロック信号の変調に用いられた送信信号を抽出する信号抽出手段を備えた、
ことを特徴とする通信装置。
【請求項７】
前記信号抽出手段は、前記他の装置から受信した信号から抽出したクロック信号を周波数復調して同一信号が所定数以上連続することを防止するよう符号化されたデータを抽出し、これを復号して前記送信信号を抽出する、
ことを特徴とする請求項６記載の通信装置。
【請求項８】
前記信号抽出手段は、前記クロック信号から抽出した前記符号化されたデータを５Ｂ／４Ｂ変換にて復号する、
ことを特徴とする請求項７記載の通信装置。
【請求項９】
前記信号抽出手段は、前記クロック信号から抽出した前記符号化されたデータである３値以上の多値に符号化されたデータを復号する、
ことを特徴とする請求項７又は８記載の通信装置。
【請求項１０】
前記信号抽出手段は、前記クロック信号から抽出した前記符号化されたデータをＭＬＴ−３（Multi Level Transmission-3）逆変換にて復号する、
ことを特徴とする請求項７，８又は９記載の通信装置。
【請求項１１】
ネットワークケーブルを介して接続された他の装置にクロック信号に基づいて信号を送信する送信手段と、他の装置から送信された信号を受信する受信手段とを備え、
前記他の装置に送信する送信信号に基づいて前記クロック信号を周波数変調する信号重畳手段を備えると共に、前記送信手段は、前記信号重畳手段にて周波数変調した前記クロック信号に基づいて前記他の装置に対する信号送信処理を行い、
前記受信手段は、受信した受信信号からクロック信号を抽出すると共に、
前記抽出したクロック信号を周波数復調し、当該クロック信号の変調に用いられた送信信号を抽出する信号抽出手段を備えた、
ことを特徴とする通信装置。
【請求項１２】
前記信号重畳手段は、前記送信信号を同一信号が所定数以上連続することを防止するよう符号化し、当該符号化したデータに基づいて前記クロック信号を変調し、
前記信号抽出手段は、前記他の装置から受信した信号から抽出したクロック信号を周波数復調して同一信号が所定数以上連続することを防止するよう符号化されたデータを抽出し、当該符号化されたデータを復号して送信信号を抽出する、
ことを特徴とする請求項１１記載の通信装置。
【請求項１３】
前記信号重畳手段は、前記送信信号を４Ｂ／５Ｂ変換にて符号化し、
前記信号抽出手段は、前記クロック信号から抽出した前記符号化されたデータを５Ｂ／４Ｂ変換にて復号する、
ことを特徴とする請求項１２記載の通信装置。
【請求項１４】
前記信号重畳手段は、前記符号化したデータを３値以上に多値化変換し、当該多値化したデータに基づいて前記クロック信号を変調し、
前記信号抽出手段は、前記クロック信号から抽出した前記符号化されたデータであり３値以上に多値化されたデータを復号する、
ことを特徴とする請求項１２又は１３記載の通信装置。
【請求項１５】
前記信号重畳手段は、前記符号化したデータをＭＬＴ−３（Multi Level Transmission-3）変換して３値化し、当該ＭＬＴ−３変換したデータに基づいて前記クロック信号を変調し、
前記信号抽出手段は、前記クロック信号から抽出した前記符号化されたデータをＭＬＴ−３（Multi Level Transmission-3）逆変換にて復号する、
ことを特徴とする請求項１２，１３又は１４記載の通信装置。
【請求項１６】
前記送信信号は、待機状態である装置の動作を制御する信号である、
ことを特徴とする請求項１乃至１５のいずれかに記載の通信装置。
【請求項１７】
前記送信信号は、装置の電源制御を行う電源制御信号である、
ことを特徴とする請求項１乃至１６のいずれかに記載の通信装置。
【請求項１８】
前記受信手段にて受信した受信信号に含まれる前記クロック信号に基づくタイミングで送信されたデータを処理するデータ処理手段を備えた、
ことを特徴とする請求項６乃至１７のいずれかに記載の通信装置。
【請求項１９】
前記データ処理手段は、接続された磁気ディスクに対する記録再生データ及び記録再生制御データを処理する、
ことを特徴とする請求項１８記載の通信装置。
【請求項２０】
情報処理装置に、
ネットワークケーブルを介して接続された他の装置にクロック信号に基づいて信号を送信する送信手段と、
前記他の装置に送信する送信信号に基づいて前記クロック信号を周波数変調する信号重畳手段と、を実現させると共に、
前記送信手段は、前記信号重畳手段にて周波数変調した前記クロック信号に基づいて他の装置に対する信号送信処理を行う、
ことを特徴とするプログラム。
【請求項２１】
前記信号重畳手段は、前記送信信号を同一信号が所定数以上連続することを防止するよう符号化し、当該符号化したデータに基づいて前記クロック信号を周波数変調する、
ことを特徴とする請求項２０記載のプログラム。
【請求項２２】
情報処理装置に、
ネットワークケーブルを介して接続された他の装置から送信された信号を受信し、当該受信した受信信号からクロック信号を抽出する受信手段と、
前記抽出したクロック信号を周波数復調し、当該クロック信号の変調に用いられた送信信号を抽出する信号抽出手段と、
を実現させるためのプログラム。
【請求項２３】
前記信号抽出手段は、前記他の装置から受信した信号から抽出したクロック信号を周波数復調して同一信号が所定数以上連続することを防止するよう符号化されたデータを抽出し、これを復号して送信信号を抽出する、
ことを特徴とする請求項２２記載のプログラム。
【請求項２４】
ネットワークケーブルを介して接続された他の装置にクロック信号に基づいて信号を送信する送信工程と、
この送信工程の前に、前記他の装置に送信する送信信号に基づいて前記クロック信号を周波数変調する信号重畳工程と、を有すると共に、
前記送信工程は、前記信号重畳工程にて周波数変調した前記クロック信号に基づいて他の装置に対する信号送信処理を行う、
ことを特徴とする通信方法。
【請求項２５】
前記信号重畳工程は、前記送信信号を同一信号が所定数以上連続することを防止するよう符号化し、当該符号化したデータに基づいて前記クロック信号を周波数変調する、
ことを特徴とする請求項２４記載の通信方法。
【請求項２６】
ネットワークケーブルを介して接続された他の装置から送信された信号を受信し、当該受信した受信信号からクロック信号を抽出する受信工程と、
前記抽出したクロック信号を周波数復調し、当該クロック信号の変調に用いられた送信信号を抽出する信号抽出工程と、
を有することを特徴とする通信方法。
【請求項２７】
前記信号抽出工程は、前記他の装置から受信した信号から抽出したクロック信号を周波数復調して同一信号が所定数以上連続することを防止するよう符号化されたデータを抽出し、これを復号して送信信号を抽出する、
ことを特徴とする請求項２６記載の通信方法。
【発明の詳細な説明】
【技術分野】
【０００１】
本発明は、通信装置にかかり、特に、他の装置とクロック信号に基づいて信号を送受信する通信装置に関する。
【背景技術】
【０００２】
情報を記憶する情報記憶装置として、記憶媒体に磁気ディスクを用いたディスク装置がある。そして、ディスク装置は、磁気ディスクに対するデータの記録再生制御や装置自体の電源制御、さらには、他の装置とのデータ転送を行う機能を備えたディスク制御装置を装備している。特に、ディスク制御装置による他の装置とのデータ通信機能は、例えば、他の装置と接続して磁気ディスクに対して記憶再生するデータの送受信や、電源制御信号の送受信を行うことも可能である。
【０００３】
そして、上述したデータの送受信を行うために、ディスク制御装置では、シリアル伝送方式（直列伝送方式）を用いた高速シリアルデータ通信ケーブルにて、他のディスク装置やホストコンピュータと接続している。また、ディスク制御装置は、上記高速シリアルデータ通信用ケーブルとは異なる電源制御専用の通信ケーブルにて他のディスク装置やホストコンピュータと別途接続し、電源制御信号を送受信している。このようなディスク制御装置の一例を特許文献１に示す
【０００４】
【特許文献１】特開２００４−３４２３０４号公報
【発明の開示】
【発明が解決しようとする課題】
【０００５】
しかしながら、上述したように記録再生用データの送受信と電源制御信号の送受信とを別々のケーブルで実現する場合には、接続するケーブル数が接続する装置数に応じて増加し、また、接続も煩雑になる。その結果、装置導入が困難となり、設備コストが増加する、という問題があった。
【０００６】
一方で、上記問題を解決すべく、高速シリアルデータ通信で送受信するデータ自体に電源制御信号を含めて送受信する場合には、高速シリアルデータ通信におけるデータ転送速度が低下する、という問題が生じる。また、電源制御信号は、ディスク制御装置の待機時にも送受信されることがあり、この場合には、高速シリアルデータ通信で送受信されたデータ自体を処理する必要がある。すると、常に送受信されたデータを処理するための回路に通電しておく必要が生じ、装置の電力量が増加し、待機電力を抑制することが困難となる、という問題があった。
【０００７】
そして、このようなことは、上述したディスク制御装置に限らず、複数種類のデータ通信を行う他の装置でも問題となる。つまり、少なくとも第１データと第２データといった２種類のデータを送受信するデータ通信装置において、各データを送受信するケーブルをそれぞれ設けた場合には、ケーブル数の増加及び接続の煩雑化、という問題が生じる。一方で、第１データを高速シリアルデータ通信用ケーブルで送受信し、当該ケーブルで装置待機時に第２データを送受信する場合には、データ転送効率が低下する。さらに、装置にてデータ処理を行う回路の動作が常に必要となり、待機電力を抑制することができない、という問題が生じる。
【０００８】
このため、本発明の目的は、上述した課題である、接続構成の簡略化及び設備コストの削減を図りつつデータ伝送効率の低下を抑制し、さらに、装置の省電力化を図る、ことにある。
【課題を解決するための手段】
【０００９】
かかる目的を達成するため本発明の一形態である通信装置は、
ネットワークケーブルを介して接続された他の装置に、クロック信号に基づいて信号を送信する送信手段と、
上記他の装置に送信する送信信号に基づいて上記クロック信号を周波数変調する信号重畳手段と、を備え、
上記送信手段は、上記信号重畳手段にて周波数変調した上記クロック信号に基づいて他の装置に対する信号送信処理を行う、
ことを特徴とする。
【００１０】
また、本発明の他の形態である通信装置は、
ネットワークケーブルを介して接続された他の装置から送信された信号を受信する受信手段を備え、
上記受信手段は受信した受信信号からクロック信号を抽出すると共に、
上記抽出したクロック信号を周波数復調し、当該クロック信号の変調に用いられた送信信号を抽出する信号抽出手段を備えた、
ことを特徴とする。
【００１１】
また、本発明の他の形態である通信装置は、
ネットワークケーブルを介して接続された他の装置にクロック信号に基づいて信号を送信する送信手段と、他の装置から送信された信号を受信する受信手段とを備え、
上記他の装置に送信する送信信号に基づいて上記クロック信号を周波数変調する信号重畳手段を備えると共に、上記送信手段は、上記信号重畳手段にて周波数変調した上記クロック信号に基づいて上記他の装置に対する信号送信処理を行い、
上記受信手段は受信した受信信号からクロック信号を抽出すると共に、
上記抽出したクロック信号を周波数復調し、当該クロック信号の変調に用いられた送信信号を抽出する信号抽出手段を備えた、
ことを特徴とする。
【００１２】
また、本発明の他の形態であるプログラムは、
情報処理装置に、
ネットワークケーブルを介して接続された他の装置にクロック信号に基づいて信号を送信する送信手段と、
上記他の装置に送信する送信信号に基づいて上記クロック信号を周波数変調する信号重畳手段と、を実現させると共に、
上記送信手段は、上記信号重畳手段にて周波数変調した上記クロック信号に基づいて他の装置に対する信号送信処理を行う、
ことを特徴とする。
【００１３】
また、本発明の他の形態であるプログラムは、
情報処理装置に、
ネットワークケーブルを介して接続された他の装置から送信された信号を受信し、当該受信した受信信号からクロック信号を抽出する受信手段と、
上記抽出したクロック信号を周波数復調し、当該クロック信号の変調に用いられた送信信号を抽出する信号抽出手段と、
を実現させるためのプログラムである。
【００１４】
また、本発明の他の形態である通信方法は、
ネットワークケーブルを介して接続された他の装置にクロック信号に基づいて信号を送信する送信工程と、
この送信工程の前に、上記他の装置に送信する送信信号に基づいて上記クロック信号を周波数変調する信号重畳工程と、を有すると共に、
上記送信工程は、上記信号重畳工程にて周波数変調した上記クロック信号に基づいて他の装置に対する信号送信処理を行う、
ことを特徴とする。
【００１５】
また、本発明の他の形態である通信方法は、
ネットワークケーブルを介して接続された他の装置から送信された信号を受信し、当該受信した受信信号からクロック信号を抽出する受信工程と、
上記抽出したクロック信号を周波数復調し、当該クロック信号の変調に用いられた送信信号を抽出する信号抽出工程と、
を有することを特徴とする。
【発明の効果】
【００１６】
本発明は、以上のように構成されることにより、通信装置の接続構成の簡略化、装置コストの低下を図りつつデータ伝送効率の低下を抑制することができると共に、装置の省電力化を図ることができる。
【発明を実施するための最良の形態】
【００１７】
本発明の一形態である通信装置は、
ネットワークケーブルを介して接続された他の装置に、クロック信号に基づいて信号を送信する送信手段と、
上記他の装置に送信する送信信号に基づいて上記クロック信号を周波数変調する信号重畳手段と、を備え、
上記送信手段は、上記信号重畳手段にて周波数変調した上記クロック信号に基づいて他の装置に対する信号送信処理を行う、
ことを特徴とする。
【００１８】
上記発明によると、まず、通信装置は、他の装置に送信する送信信号に基づいて、クロック信号を周波数変調する。そして、この周波数変調したクロック信号に基づいて他の装置に対する信号送信処理を行う。このため、他の装置にクロック信号のタイミングでデータを送信する場合であっても、送信信号をクロック信号に重畳させて送信することができるため、データ伝送の効率を低下させることなく、送信信号を送信することができる。また、他の装置にクロック信号のタイミングで送信するデータがない場合であっても、当該データを送信するためのネットワークケーブルを用いて、上記周波数変調されたクロック信号を他の装置に送信することで、送信信号を送信することができる。その結果、通信装置にてデータと送信信号を送信する場合であっても、接続するケーブル数を抑制でき、接続構成の簡略化、装置コストの低下を図ることができる。さらに、クロック信号を周波数変調しているため、ネットワークケーブルから放出されるＥＭＩ（Electro Magnetic Interference）を低減することができる。
【００１９】
また、上述したように通信装置から信号を受信した他の装置は、クロック信号を周波数復調することで、当該クロック信号の周波数変調に用いられた送信信号を抽出することができる。このとき、クロック信号のタイミングで送信されるデータがない場合には、他の装置内でデータ処理を実行する回路（処理部）を作動する必要はなく、例えば他の装置の待機時であっても、送信信号を処理する回路（処理部）のみを稼働させればよい。従って、他の装置の省電力化を図ることができる。
【００２０】
また、上記通信装置では、
上記信号重畳手段は、上記送信信号を同一信号が所定数以上連続することを防止するよう符号化し、当該符号化したデータに基づいて上記クロック信号を周波数変調する、
ことを特徴とする。
【００２１】
また、上記通信装置では、
上記信号重畳手段は、上記送信信号を４Ｂ／５Ｂ変換にて符号化する、
ことを特徴とする。
【００２２】
また、上記通信装置では、
上記信号重畳手段は、上記符号化したデータを３値以上に多値化変換し、当該多値化したデータに基づいて上記クロック信号を周波数変調する、
ことを特徴とする。
【００２３】
また、上記通信装置では、
上記信号重畳手段は、上記符号化したデータをＭＬＴ−３（Multi Level Transmission-3）変換して３値化し、当該ＭＬＴ−３変換したデータに基づいて上記クロック信号を周波数変調する、
ことを特徴とする。
【００２４】
このように、例えば、４Ｂ／５Ｂを用いて送信信号を符号化することで、同一信号が所定数以上連続することのないデータとなり、かかるデータでクロック信号を周波数変調することができる。これにより、送信信号がいかなる信号であっても、クロック信号の周波数に変化を与えることができ、確実に送信信号を重畳することができる。さらに、送信信号を例えばＭＬＴ−３変換にて３値化することで、より確実にクロック信号に送信信号を重畳することができる。その結果、送信信号の伝達の確実性の向上を図ることができる。
【００２５】
また、本発明の他の形態である通信装置は、
ネットワークケーブルを介して接続された他の装置から送信された信号を受信する受信手段を備え、
上記受信手段は受信した受信信号からクロック信号を抽出すると共に、
上記抽出したクロック信号を周波数復調し、当該クロック信号の変調に用いられた送信信号を抽出する信号抽出手段を備えた、
ことを特徴とする。
【００２６】
そして、上記通信装置では、
上記信号抽出手段は、上記他の装置から受信した信号から抽出したクロック信号を周波数復調して同一信号が所定数以上連続することを防止するよう符号化されたデータを抽出し、これを復号して上記送信信号を抽出する、
ことを特徴とする。
【００２７】
また、上記通信装置では、
上記信号抽出手段は、上記クロック信号から抽出した上記符号化されたデータを５Ｂ／４Ｂ変換にて復号する、
ことを特徴とする。
【００２８】
また、上記通信装置では、
上記信号抽出手段は、上記クロック信号から抽出した上記符号化されたデータである３値以上の多値に符号化されたデータを復号する、
ことを特徴とする。
【００２９】
また、上記通信装置では、
上記信号抽出手段は、上記クロック信号から抽出した上記符号化されたデータをＭＬＴ−３（Multi Level Transmission-3）逆変換にて復号する、
ことを特徴とする。
【００３０】
上記発明によると、通信装置は、他の装置から受信した信号からクロック信号を抽出し、周波数復調することで、当該クロック信号の周波数変調に用いられた送信信号を抽出することができる。このとき、上述同様に、他の装置からクロック信号のタイミングでデータが送信された場合であっても、送信信号をクロック信号に重畳させて送信されるため、データ伝送の効率を低下させることなく、送信信号を受信できる。また、他の装置からクロック信号に基づくタイミングで送信されるデータがない場合であっても、当該データを送信するためのネットワークケーブルを用いて、クロック信号を他の装置から受信することで、送信信号を受信することができる。その結果、通信装置にてデータと送信信号を送信する場合であっても、接続するケーブル数を抑制でき、接続構成の簡略化、装置コストの低下を図ることができる。また、クロック信号を周波数変調しているため、ネットワークケーブルから放出されるＥＭＩ（Electro Magnetic Interference）を低減することができる。
【００３１】
さらに、通信装置は、上述したように、受信したクロック信号を周波数復調することで、当該クロック信号の周波数変調に用いられた送信信号を抽出することができる。このとき、クロック信号のタイミングで送信されるデータがない場合には、通信装置内でデータ処理を実行する回路（処理部）を作動する必要はなく、例えば通信装置の待機時に送信信号を処理する回路（処理部）のみを稼働させればよい。従って、通信装置の省電力化を図ることができる。
【００３２】
また、本発明の他の形態である通信装置は、
ネットワークケーブルを介して接続された他の装置にクロック信号に基づいて信号を送信する送信手段と、他の装置から送信された信号を受信する受信手段とを備え、
上記他の装置に送信する送信信号に基づいて上記クロック信号を周波数変調する信号重畳手段を備えると共に、上記送信手段は、上記信号重畳手段にて周波数変調した上記クロック信号に基づいて上記他の装置に対する信号送信処理を行い、
上記受信手段は受信した受信信号からクロック信号を抽出すると共に、
上記抽出したクロック信号を周波数復調し、当該クロック信号の変調に用いられた送信信号を抽出する信号抽出手段を備えた、
ことを特徴とする。
【００３３】
そして、上記通信装置では、
上記信号重畳手段は、上記送信信号を同一信号が所定数以上連続することを防止するよう符号化し、当該符号化したデータに基づいて上記クロック信号を変調し、
上記信号抽出手段は、上記他の装置から受信した信号から抽出したクロック信号を周波数復調して同一信号が所定数以上連続することを防止するよう符号化されたデータを抽出し、当該符号化されたデータを復号して送信信号を抽出する、
ことを特徴とする。
【００３４】
また、上記通信装置では、
上記信号重畳手段は、上記送信信号を４Ｂ／５Ｂ変換にて符号化し、
上記信号抽出手段は、上記クロック信号から抽出した上記符号化されたデータを５Ｂ／４Ｂ変換にて復号する、
ことを特徴とする。
【００３５】
また、上記通信装置では、
上記信号重畳手段は、上記符号化したデータを３値以上に多値化変換し、当該多値化したデータに基づいて上記クロック信号を変調し、
上記信号抽出手段は、上記クロック信号から抽出した上記符号化されたデータであり３値以上に多値化されたデータを復号する、
ことを特徴とする。
【００３６】
また、上記通信装置では、
上記信号重畳手段は、上記符号化したデータをＭＬＴ−３（Multi Level Transmission-3）変換して３値化し、当該ＭＬＴ−３変換したデータに基づいて上記クロック信号を変調し、
上記信号抽出手段は、上記クロック信号から抽出した上記符号化されたデータをＭＬＴ−３（Multi Level Transmission-3）逆変換にて復号する、
ことを特徴とする。
【００３７】
このように通信装置が送受信機能を備えることで、上述したようにクロック信号に重畳して送信信号を送受信し、相互に送信信号に基づく制御を行うことができる。
【００３８】
また、上記通信装置では、
上記送信信号は、待機状態である装置の動作を制御する信号である、
ことを特徴とする。
【００３９】
また、上記通信装置では、
上記送信信号は、装置の電源制御を行う電源制御信号である、
ことを特徴とする。
【００４０】
また、上記通信装置では、
上記受信手段にて受信した受信信号に含まれる上記クロック信号に基づくタイミングで送信されたデータを処理するデータ処理手段を備えた、
ことを特徴とする。
【００４１】
また、上記通信装置では、
上記データ処理手段は、接続された磁気ディスクに対する記録再生データ及び記録再生制御データを処理する、
ことを特徴とする。
【００４２】
また、本発明の他の形態であるプログラムは、
情報処理装置に、
ネットワークケーブルを介して接続された他の装置にクロック信号に基づいて信号を送信する送信手段と、
上記他の装置に送信する送信信号に基づいて上記クロック信号を周波数変調する信号重畳手段と、を実現させると共に、
上記送信手段は、上記信号重畳手段にて周波数変調した上記クロック信号に基づいて他の装置に対する信号送信処理を行う、
ことを特徴とする。
【００４３】
そして、上記プログラムでは、
上記信号重畳手段は、上記送信信号を同一信号が所定数以上連続することを防止するよう符号化し、当該符号化したデータに基づいて上記クロック信号を周波数変調する、
ことを特徴とする。
【００４４】
また、本発明の他の形態であるプログラムは、
情報処理装置に、
ネットワークケーブルを介して接続された他の装置から送信された信号を受信し、当該受信した受信信号からクロック信号を抽出する受信手段と、
上記抽出したクロック信号を周波数復調し、当該クロック信号の変調に用いられた送信信号を抽出する信号抽出手段と、
を実現させるためのプログラムである。
【００４５】
そして、上記プログラムでは、
上記信号抽出手段は、上記他の装置から受信した信号から抽出したクロック信号を周波数復調して同一信号が所定数以上連続することを防止するよう符号化されたデータを抽出し、これを復号して送信信号を抽出する、
ことを特徴とする。
【００４６】
また、本発明の他の形態である通信方法は、
ネットワークケーブルを介して接続された他の装置にクロック信号に基づいて信号を送信する送信工程と、
この送信工程の前に、上記他の装置に送信する送信信号に基づいて上記クロック信号を周波数変調する信号重畳工程と、を有すると共に、
上記送信工程は、上記信号重畳工程にて周波数変調した上記クロック信号に基づいて他の装置に対する信号送信処理を行う、
ことを特徴とする。
【００４７】
そして、上記通信方法では、
上記信号重畳工程は、上記送信信号を同一信号が所定数以上連続することを防止するよう符号化し、当該符号化したデータに基づいて上記クロック信号を周波数変調する、
ことを特徴とする。
【００４８】
また、本発明の他の形態である通信方法は、
ネットワークケーブルを介して接続された他の装置から送信された信号を受信し、当該受信した受信信号からクロック信号を抽出する受信工程と、
上記抽出したクロック信号を周波数復調し、当該クロック信号の変調に用いられた送信信号を抽出する信号抽出工程と、
を有することを特徴とする。
【００４９】
そして、上記通信方法では、
上記信号抽出工程は、上記他の装置から受信した信号から抽出したクロック信号を周波数復調して同一信号が所定数以上連続することを防止するよう符号化されたデータを抽出し、これを復号して送信信号を抽出する、
ことを特徴とする。
【００５０】
上述した構成を有する、プログラム、又は、通信方法、の発明であっても、上記通信装置と同様の作用を有するために、上述した本発明の目的を達成することができる。
【００５１】
以下、本発明に係る、通信装置、プログラム、及び、通信方法、の各実施形態について図１乃至図７を参照しながら説明する。
【００５２】
＜実施形態１＞
本発明の第１の実施形態を、図１乃至図４を参照して説明する。図１は、ディスク制御装置の構成を示す機能ブロック図である。図２は、ディスク制御装置の動作を示す説明図であり、図３乃至図４は、ディスク制御装置の動作を示すフローチャートである。
【００５３】
［構成］
図１は、本実施形態におけるディスク制御装置１００の構成を示している。このディスク制御装置１００は、記憶媒体に磁気ディスクを用いた情報記憶装置であるディスク装置に装備されている。そして、ディスク制御装置１００は、上記磁気ディスクに対するデータの記録再生制御や装置自体の電源制御、さらには、他の装置とのデータ転送を行う機能を備えている。
【００５４】
なお、本実施形態では、ほぼ同一の構成のディスク制御装置１００，２００同士が、相互にシリアル伝送方式（直列伝送方式）を用いた高速シリアルデータ通信ケーブル３００（ネットワークケーブル）を介して接続している。そして、これらディスク制御装置１００，２００は、当該各ディスク制御装置１００，２００が制御する磁気ディスクに対する記録再生データや記録再生制御データを送受信して、相互にディスク制御を行う。また、これらディスク制御装置１００，２００は、当該各装置１００，２００の電源を制御する電源制御信号を送受信し、相互に電源制御を行う。例えば、これらディスク制御装置１００，２００は、グリッドサーバシステムにて利用することができる。
【００５５】
具体的に、ディスク制御装置１００は、図１に示すように、ディスク制御を行うディスク制御回路１０１と、他のディスク制御装置と高速シリアルデータ通信を実現するためのＳＥＲＤＥＳ（Ｓｅｒｉａｒｉｚｅｒ  Ｄｅｓｉｒｉａｒｉｚｅｒ）回路１０２と、ＳＥＲＤＥＳ回路１０２を動作させる基準クロック１１３と、を備えている。そして、上記ディスク制御回路１０１（データ処理手段）は、他のディスク制御装置２００のディスクに対して記録するデータや当該ディスクを制御するデータを送信データとして、ＳＥＲＤＥＳ回路１０２に出力する。また、上記ＳＥＲＤＥＳ回路１０２は、ディスク制御回路１０１から提供されたデータをシリアル化し、基準クロック１１３からのクロック信号に基づくタイミングにて、通信ケーブル３００を介して接続された他のディスク制御装置２００にシリアル伝送する機能（送信手段）を有する。このとき、ＳＥＲＤＥＳ回路１０２は、後述するように、送信する電源制御信号が存在する場合には、周波数変調機１１４にて周波数変調されたクロック信号に基づくタイミングで、上記送信データを送信する。
【００５６】
また、ＳＥＲＤＥＳ回路１０２は、通信ケーブル３００を介して接続された他のディスク制御装置２００から、クロック信号に基づくタイミングで送信されたデータを受信する機能を有する（受信手段）。そして、ＳＥＲＤＥＳ回路１０１は、受信データをパラレル化し、ディスク制御回路１０１へ送る。このとき、ＳＥＲＤＥＳ回路１０２は、受信したシリアル信号の受信タイミングから受信クロックを抽出して、後述する周波数復調器１１５に渡す機能も有する。
【００５７】
そして、ディスク制御装置１００は、さらに、図１に示すように、ディスク制御装置１００自体や他のディスク装置２００の電源を制御する電源制御用マイコン１１０を備えている。そして、この電源制御用マイコン１１０は、他のディスク制御装置２００の電源制御を行う電源制御信号を送信したり、あるいは、他のディスク制御装置２００から自装置１００の電源制御を行う制御信号を受信する。このとき、電源制御信号は、ディスク制御装置１００，２００間でシリアルデータをやり取りする際に用いるクロック信号に重畳して送受信する。そして、ディスク制御装置１００は、電源制御信号をクロック信号に重畳する手段（信号重畳手段）として、４Ｂ−５Ｂ変換器１１１と、ＭＬＴ−３変換器１１２と、周波数変調器１１４と、を備えている。また、ディスク制御装置１００は、受信したクロック信号から電源制御信号を抽出する手段（信号抽出手段）として、周波数復調器１１５と、ＭＬＴ−３逆変換器１１６と、５Ｂ−４Ｂ変換器１１７と、を備えている。
【００５８】
具体的に、上記４Ｂ−５Ｂ変換器１１１は、電源制御用マイコン１１０から出力された他のディスク制御装置２００の電源制御を行う電源制御信号を、４Ｂ−５Ｂ変換による符号化を行う。ここで、４Ｂ−５Ｂ変換は、４ビットのデータを５ビットのシンボルデータに変換して、一定の割合での信号状態変化を盛り込む処理である。これにより、電源制御信号を、同一信号が所定数以上連続することを防止するよう符号化することができ、具体的には、５ビット以上「０」が連続しない符号化データに変換できる。なお、必ずしも４Ｂ−５Ｂ変換を行う必要はなく、８Ｂ−１０Ｂ変換を行うなど、電源制御信号に同一信号が所定数以上連続することを防止するよう、電源制御信号を符号化すればよい。
【００５９】
また、上記ＭＬＴ−３（Multi Level Transmission-3）変換器１１２は、上記４Ｂ−５Ｂ変換にて符号化したデータをＭＬＴ−３変換し、これにより、電源制御信号を３値化する。具体的に、ＭＬＴ−３変換は、２値データを、「０」のときには変化せず、「１」の時に変化する、という法則で信号を変化させて、高中低の３段階のレベルの信号に変換する処理である。なお、必ずしもＭＬＴ−３変換にて３値化する必要はなく、上記符号化したデータを他の変換処理にて、３値以上に多値化変換してもよい。
【００６０】
そして、周波数変調器１１４は、上記３値化データに基づいて、基準クロック１１３からのクロック信号に、周波数変調をかける。例えば、上記処理により、電圧制御信号が高中低の３段階のレベルの信号に変換されている場合には、「高」の信号に対応する部分のクロック信号の周波数を、基準となる周波数よりも高くする。また、「中」の信号に対応する部分のクロック信号は、周波数をそのままとし、「低」の信号に対応する部分のクロック信号の周波数を、基準となる周波数よりも低くする。このように、全体として同一周波数であったクロック信号の周波数を変調することにより、当該クロック信号に電圧制御信号が重畳された状態となる。つまり、変調されたクロック信号の周波数を調べることで、電圧制御信号を取り出すことができる。
【００６１】
そして、上述したＳＥＲＤＥ回路１０２にて、上述したように変調されたクロック信号のタイミングで、他のディスク制御装置２００に信号送信処理を行う。このとき、ディスク制御回路１０１から送信データがある場合には、かかる送信データを変調されたクロック信号に基づくタイミングで送信する。一方で、ディスク制御回路１０１から送信データがない場合であっても、電源制御用マイコン１１０から出力された電源制御信号が重畳されたクロック信号を、他のディスク制御装置２００に送信する。
【００６２】
また、上記周波数復調器１１５は、他のディスク制御装置２００から送信され、上述したようにＳＥＲＤＥ回路１０２にて受信したシリアルデータから抽出したクロック信号を、周波数復調する。つまり、クロック信号から上述したように電源制御信号がＭＬＴ−３変換された３値化データを抽出する。そして、上記ＭＬＴ−３（Multi Level Transmission-3）逆変換器１１６は、抽出した３値化データをＭＬＴ−３逆変換し、５Ｂデータに復号する。さらに、５Ｂ−４Ｂ変換器１１７は、ＭＬＴ−３逆変換にて復号されたデータを、５Ｂ−４Ｂ変換して復号する。これにより、電源制御信号を得ることができ、電源制御用マイコン１１０に入力する。
【００６３】
ここで、上記ＭＬＴ−３逆変換や５Ｂ−４Ｂ変換は必ずしも行われる必要はなく、送信側の電源制御信号の符号化処理に対応した復号処理を行ってもよい。
【００６４】
なお、上述した電源制御信号を送受信する機能である電源制御用マイコン１１０と各処理器１１１〜１１７には、ディスク制御装置１００が電源投入待機時であっても通電しており、作動状態にある。逆に、ディスク制御回路１０１には、電源投入待機時には通電されていない。これにより、ディスク制御装置１００，２００間では、電源投入待機時であっても相互に電源制御が可能であると共に、不要な回路の通電を抑制しているため、待機電力の低減を図ることができる。
【００６５】
また、他のディスク制御装置２００も上述したディスク制御装置１００と同一の構成であるため、その説明は省略する。
【００６６】
［動作］
次に、上記構成のディスク制御装置１００，２００の動作を、図２乃至図４を参照して説明する。ここでは、ディスク制御装置１００がディスク制御装置２００に対して電源制御信号を送信し、これをディスク制御装置２００が受信して、電源制御を行う場合を説明する。
【００６７】
まず、電源制御用マイコン１１０から電源制御信号が出力されると（図２の矢印Ｓ１、図３のステップＳ１１）、この電源制御信号を４Ｂ−５Ｂ変換器１１１が４Ｂ−５Ｂ変換して符号化する（図３のステップＳ１２）。これにより、電源制御信号は、一定の割合での信号状態変化が盛り込まれたデータとなる。続いて、４Ｂ−５Ｂ変換したデータをＭＬＴ−３変換器１１２に出力し（図２の矢印Ｓ２）、当該ＭＬＴ−３変換器１１２にてＭＬＴ−３変換して３値化データとする（図３のステップＳ１３）。
【００６８】
その後、ＭＬＴ−３変換したデータを周波数変調器１１４に出力し（図２の矢印Ｓ３）、当該周波数変調器１１４により基準クロック１１３から出力されたクロック信号（図２の矢印Ｓ４）に、３値化データにて周波数変調をかける（図３のステップＳ１４）。このようにして、クロック信号に電源制御信号を重畳し、この周波数変調されたクロック信号をＳＥＲＤＥＳ回路１０２に出力する（図２の矢印Ｓ５、信号重畳工程）。
【００６９】
そして、ＳＥＲＤＥＳ回路１０２は、上記周波数変調されたクロック信号によるタイミングで、他のディスク制御装置２００に対して信号送信処理を実行する（図２の矢印Ｓ６、図３のステップＳ１５、送信工程）。このとき、ディスク制御回路１０１から他のディスク制御装置２００に送信する送信データがある場合には、当該ディスク制御回路１０１から出力された送信データをシリアル化し、上記クロック信号によるタイミングでシリアル伝送する。
【００７０】
これにより、送信データと共に、クロック信号に電源制御信号を重畳して他のディスク制御装置２００に送信することができる。従って、接続するケーブルを増加することなく、また、データ伝送の効率を低下させることを抑制できる。さらに、クロック信号を周波数変調しているため、ネットワークケーブルから放出されるＥＭＩ（Electro Magnetic Interference）を低減することができる。
【００７１】
また、ＳＥＲＤＥＳ回路１０２は、ディスク制御回路１０１から他のディスク制御装置２００に送信する送信データがない場合には、上記周波数変調されたクロック信号のみを他のディスク制御装置２００に対して送信する（図２の矢印Ｓ６、図３のステップＳ１５）。これにより、クロック信号に重畳された電源制御信号を他のディスク制御装置２００に送信することができる。
【００７２】
次に、上述したようにディスク制御装置１００にて送信された信号を受信する他のディスク制御装置２００の動作を説明する。
【００７３】
まず、他のディスク制御装置２００は、ＳＥＲＤＥＳ回路１０２にてクロック信号に基づくタイミングでデータを受信すると（図２の矢印Ｓ６、図４のステップＳ２１）、受信したデータをパラレル化し、ディスク制御回路２０１に出力する。
【００７４】
また、他のディスク制御装置２００は、ＳＥＲＤＥＳ回路１０２にて受信した信号のタイミングに基づいて、受信クロックを抽出する。そして、抽出した受信クロックを周波数復調器に出力する（図２の矢印Ｓ７、図４のステップＳ２２、受信工程）。
【００７５】
そして、周波数復調器２１５は、抽出した受信クロックを復調して（図４のステップＳ２３）、３値に符号化された３値化データを得る。つまり、上述したようにディスク制御装置１００で電源制御信号がＭＬＴ−３変換器１１２で３値化された状態の符号化データを得る。そして、この３値化データをＭＬＴ−３逆変換器２１６に出力する（図２の矢印Ｓ８）。
【００７６】
続いて、ＭＬＴ−３逆変換器２１６は、３値化データをＭＬＴ−３逆変換して、５Ｂデータに復号し（図４のステップＳ２４）、この復号したデータを５Ｂ−４Ｂ変換器２１７に出力する（図２の矢印Ｓ９）。そして、５Ｂ−４Ｂ変換器２１７は、５Ｂデータを５Ｂ−４Ｂ変換して復号し、電源制御信号を得る（図４のステップＳ２５、信号抽出工程）。その後、復号された電源制御信号を電源制御用マイコン２１０に入力することで（図２の矢印Ｓ１０）、当該電源制御用マイコン２１０は、電源制御信号に基づく電源制御処理を行う（図４のステップＳ２６）。
【００７７】
なお、上述したようにＳＥＲＤＥＳ回路２０２にて受信した受信信号にディスク制御回路２０１にて処理すべきデータが含まれていない場合には、単に受信クロックの抽出だけを行い、抽出した受信クロックを周波数復調器２１５に出力する。従って、他のディスク制御装置２００が待機状態である場合には、ＳＥＲＤＥＳ回路２０２から電源制御用マイコン２１０に至る経路の周波数復調器２１５等を通電状態にしておくことで、上述したように電源制御信号を抽出することができる。つまり、ディスク制御回路２０１を常に通電しておく必要はなく、待機電力を低減することができる。
【００７８】
以上のように、本実施形態におけるディスク制御装置１００，２００では、接続するケーブル数を抑制して、接続構成の簡略化、装置コストの低下を図ることができると共に、データ伝送効率の低下を抑制することができる。また、クロック信号を周波数変調しているため、ネットワークケーブルから放出されるＥＭＩ（Electro Magnetic Interference）を低減することができる。さらに、装置の待機時に稼働状態としておく処理部を減らすことができ、省電力化を図ることができる。
【００７９】
また、電源制御信号を、４Ｂ／５Ｂ変換およびＭＬＴ−３変換を用いて符号化することで、より確実に電源制御信号をクロック信号に重畳することができ、また、信号伝達の確実性も向上する。
【００８０】
ここで、上述したディスク制御装置１００が備えるディスク制御回路１０１やＳＥＲＤＥＳ回路１０２などの各構成１０１，１０２，１１０〜１１７は、ハードウェアにて構成されているものとして説明したが、ソフトウェアにて実現されていてもよい。この場合には、ディスク制御装置１００に備えられた演算装置に、上記ディスク制御装置１００を実現するためのプログラムを組み込み、これによってディスク制御装置１００の演算装置に、上述した各構成１０１，１０２，１１０〜１１７と同等に作用する各処理部を構築することで実現化可能である。
【００８１】
なお、上記では、ディスク制御装置１００，２００にて電源制御信号を送受信する場合を説明したが、クロック信号に重畳して送受信する信号は、いかなる信号であってもよい。例えば、送信先となる装置が待機状態である場合に当該装置の所定の動作を制御する信号であってもよい。
【００８２】
また、上記では、ディスク制御装置１００，２００間で信号をクロック信号に重畳して送受信する場合を例示したが、あらゆる通信装置間での信号送受信にも適用可能である。つまり、上述した各構成を相互にシリアル通信する通信装置が備えていてもよい。そして、この場合には、クロック信号に重畳して送受信する信号は、いかなる信号であってもよく、また、クロック信号に基づくタイミングで送信されるデータもいかなるデータであってもよい。
【００８３】
＜実施形態２＞
次に、本発明の第２の実施形態を、図５を参照して説明する。図５は、本実施形態におけるシステム構成を示す機能ブロック図である。
【００８４】
［構成］
図５に示すように、本実施形態におけるシステムは、ディスク装置（図示せず）の制御を行うホスト装置４００と、当該ホスト装置４００にて制御されるディスク装置に装備されたディスク制御装置２００と、を備えている。そして、これらは通信ケーブル３００にて接続している。
【００８５】
上記ホスト装置４００は、演算装置を備えた一般的なコンピュータであり、当該演算装置にプログラムが組み込まれることで構築された、ディスク制御部４０１と、ＳＥＲＤＥＳ部４０２と、を備えている。そして、ディスク制御部４０１は、上述したディスク制御回路１０１とほぼ同様に機能し、接続されているディスク制御装置２００のディスクに対して記録するデータや当該ディスクを制御するデータを送信データとして、ＳＥＲＤＥＳ部４０２に出力する。また、ＳＥＲＤＥＳ部４０２は、上述したＳＥＲＤＥＳ回路１０２と同様に機能する。具体的には、ＳＥＲＤＥＳ部４０２は、ディスク制御部４０１から提供された送信データをシリアル化し、基準クロック４１３からのクロック信号に基づくタイミングにて、他のディスク制御装置２００にシリアル伝送する機能（送信手段）を有する。このとき、ＳＥＲＤＥＳ部４０２は、後述するように、送信する電源制御信号が存在する場合には、周波数変調機４１４にて周波数変調されたクロック信号に基づくタイミングで、上記送信データを送信する。
【００８６】
また、ホスト装置４００は、さらに、演算装置にプログラムが組み込まれることで構築された、電源制御部４１０と、４Ｂ−５Ｂ変換器４１１と、ＭＬＴ−３変換器４１２と、周波数変調器４１４と、を備えている。そして、電源制御部４１０は、上述した電源制御用マイコン１１０と同様の機能を有し、接続されているディスク制御装置２００の電源制御を行うべく、電源制御信号を送信する。このとき、具体的には、電源制御信号を、４Ｂ−５Ｂ変換器４１１とＭＬＴ−３変換器４１２にて符号化し、さらに、符号化したデータに基づいて周波数変調器４１４で基準クロック４１３を変調することで、当該クロック信号に重畳して送信する。なお、４Ｂ−５Ｂ変換器４１１と、ＭＬＴ−３変換器４１２と、周波数変調器４１４の機能は、上述した４Ｂ−５Ｂ変換器１１１と、ＭＬＴ−３変換器１１２と、周波数変調器１１４と、同様である。
【００８７】
また、本実施形態におけるディスク制御装置２００は、上記実施形態における他のディスク制御装置２００とほぼ同様の構成をとっている。但し、電源制御信号を送信するための構成、つまり、図１に示す４Ｂ−５Ｂ変換器１１１と、ＭＬＴ−３変換器１１２と、周波数変調器１１４と、を備えていない点で異なる。
【００８８】
［動作］
次に、上記構成の動作を説明する。ここでは、ホスト装置４００がディスク制御装置２００に対して電源制御信号を送信し、これをディスク制御装置２００が受信して、電源制御を行う場合を説明する。
【００８９】
まず、ホスト装置の電源制御部４１０から電源制御信号が出力されると、この電源制御信号を４Ｂ−５Ｂ変換器４１１が４Ｂ−５Ｂ変換して符号化する。続いて、４Ｂ−５Ｂ変換したデータをＭＬＴ−３変換器４１２に出力し、当該ＭＬＴ−３変換器４１２にてＭＬＴ−３変換して３値化データとする。
【００９０】
その後、ＭＬＴ−３変換したデータを周波数変調器４１４に出力し、当該周波数変調器４１４により基準クロック４１３から出力されたクロック信号に、３値化データにて周波数変調をかける。このようにして、クロック信号に電源制御信号を重畳し、この周波数変調されたクロック信号をＳＥＲＤＥＳ部４０２に出力する。
【００９１】
そして、ＳＥＲＤＥＳ部４０２は、上記周波数変調されたクロック信号によるタイミングで、ディスク制御装置２００に対して信号送信処理を実行する。このとき、ホスト装置４００のディスク制御部４０１からディスク制御装置２００に送信する送信データがある場合には、当該ディスク制御部４０１から出力された送信データをシリアル化し、上記クロック信号によるタイミングでシリアル伝送する。
【００９２】
これにより、送信データと共に、クロック信号に電源制御信号を重畳して他のディスク制御装置２００に送信することができる。従って、接続するケーブルを増加することなく、また、データ伝送の効率を低下させることを抑制できる。さらに、クロック信号を周波数変調しているため、ネットワークケーブルから放出されるＥＭＩ（Electro Magnetic Interference）を低減することができる。
【００９３】
また、ＳＥＲＤＥＳ部４０２は、ディスク制御部４０１からディスク制御装置２００に送信する送信データがない場合には、上記周波数変調されたクロック信号のみを他のディスク制御装置２００に対して送信する。これにより、クロック信号に重畳された電源制御信号を他のディスク制御装置２００に送信することができる。
【００９４】
次に、上述したようにホスト装置４００にて送信された信号を受信するディスク制御装置２００の動作を説明する。
【００９５】
まず、ディスク制御装置２００は、ＳＥＲＤＥＳ回路２０２にてクロック信号に基づくタイミングでデータを受信すると、受信したデータをパラレル化し、ディスク制御回路２０１に出力する。
【００９６】
また、ディスク制御装置２００は、ＳＥＲＤＥＳ回路２０２にて受信した信号のタイミングに基づいて、受信クロックを抽出する。そして、抽出した受信クロックを周波数復調器２１５に出力する。
【００９７】
そして、周波数復調器２１５は、抽出した受信クロックを復調して、３値に符号化された３値化データを得る。つまり、上述したようにホスト装置４００で電源制御信号がＭＬＴ−３変換器４１２で３値化された状態の符号化データを得る。そして、この３値化データをＭＬＴ−３逆変換器２１６がＭＬＴ−３逆変換して、５Ｂデータに復号し、この復号したデータを５Ｂ−４Ｂ変換器２１７にて、５Ｂデータを５Ｂ−４Ｂ変換して復号し、電源制御信号を得る。その後、復号された電源制御信号を電源制御用マイコン２１０に入力することで、当該電源制御用マイコン２１０は、電源制御信号に基づく電源制御処理を行う。
【００９８】
なお、上述したようにＳＥＲＤＥＳ回路２０２にて受信した受信信号にディスク制御回路２０１にて処理すべきデータが含まれていない場合には、単に受信クロックの抽出だけを行い、抽出した受信クロックを周波数復調器２１５に出力する。従って、他のディスク制御装置２００が待機状態である場合には、ＳＥＲＤＥＳ回路２０２から電源制御用マイコン２１０に至る経路の周波数復調器２１５等を通電状態にしておくことで、上述したように電源制御信号を抽出することができる。つまり、ディスク制御回路２０１を常に通電しておく必要はなく、待機電力を低減することができる。
【００９９】
＜実施形態３＞
次に、本発明の第３の実施形態を、図６を参照して説明する。本実施形態では、実施形態１にて説明したディスク制御装置１００の構成を簡略化したものを示している。
【０１００】
図６に示すように、本実施形態におけるディスク制御装置１００は、上述した４Ｂ−５Ｂ変換器１１１と、ＭＬＴ−３変換器１１２と、周波数変調器１１４と、同等の機能を有する信号重畳部１２０（信号重畳手段）を有する。また、ディスク制御装置１００は、上述した周波数復調器１１５と、ＭＬＴ−３逆変換器１１６と、５Ｂ−４Ｂ変換器１１７と、同等の機能を有する信号抽出部１３０（信号抽出手段）を有する。つまり、信号重畳部１２０は、電源制御用マイコン１１０から出力された電源制御信号を符号化し、この符号化データに基づいて基準クロック１１３を周波数変調する機能を有する。そして、ＳＥＲＤＥＳ回路１０２は、信号重畳部１２０で変調されたクロック信号に基づくタイミングで、通信ケーブル３００を介して接続された他の装置に、信号送信処理を行う。また、信号抽出部１３０は、通信ケーブル３００を介して接続された他の装置から送信された信号を受信し、その受信タイミングからクロック信号を抽出する。そして、このクロック信号を復調して符号化データを得て、これを復号することで、電源制御信号を取得し、電源制御用マイコン１１０で電源制御処理を実行する。
【０１０１】
以上のように、信号重畳部１２０の構成は、必ずしも実施形態１で示した構成に限定されず、上述したように、クロック信号に電源制御信号を重畳する機能を有していればよい。また、信号抽出部１３０の構成も、必ずしも実施形態１で示した構成に限定されず、上述したように、受信したクロック信号から電源制御信号を抽出する機能を有していればよい。
【０１０２】
＜実施形態４＞
次に、本発明の第４の実施形態を、図７を参照して説明する。本実施形態では、実施形態３にて説明したディスク制御装置１００の信号送受信機能を備えた通信装置５００を示している。
【０１０３】
具体的に、本実施形態における通信装置５００は、図７に示すように、まず、図示しない他の装置と、通信ケーブル３００を介して接続している。そして、この通信ケーブル３００を介してクロック信号に基づくタイミングで、他の装置とシリアルデータ通信を行う送受信部５０２（送信手段、受信手段）を備えている。また、通信装置５００は、上述した電源制御信号をはじめとする所定の信号の送受信を制御する信号制御部５１０を備えている。そして、さらに、通信装置５００は、上記実施形態３で説明したものと同様の機能を有する信号重畳部５２０（信号重畳手段）と、信号抽出部５３０（信号抽出手段）と、を備えている。
【０１０４】
そして、上記信号重畳部５２０は、信号制御部５１０から出力された送信信号を符号化し、この符号化データに基づいて基準クロック５１３を周波数変調する機能を有する。そして、送受信部５０２は、信号重畳部５２０で変調されたクロック信号に基づくタイミングで、通信ケーブル３００を介して接続された他の装置に、信号送信処理を行う。また、信号抽出部５３０は、通信ケーブル３００を介して接続された他の装置から送信された信号を受信し、その受信タイミングからクロック信号を抽出する。そして、このクロック信号を復調して符号化データを得て、これを復号することで、送信信号を取得し、信号制御部５１０に渡す。
【０１０５】
以上のように、本発明は、あらゆる信号をクロック信号に重畳させて送信することに利用することができる。従って、本発明によると、通信装置５００間で、接続するケーブル数を抑制しつつ、データ伝送効率の低下を抑制することができる。また、クロック信号を周波数変調しているため、ネットワークケーブルから放出されるＥＭＩ（Electro Magnetic Interference）を低減することができる。さらに、装置の待機時に稼働状態としておく処理部を減らすことができ、省電力化を図ることができる。
【産業上の利用可能性】
【０１０６】
本発明は、ディスク制御装置といった通信機能を有する装置に利用することができ、産業上の利用可能性を有する。
【図面の簡単な説明】
【０１０７】
【図１】実施形態１におけるディスク制御装置の構成を示す機能ブロック図である。
【図２】図１に開示したディスク制御装置の動作を示す説明図である。
【図３】図１に開示したディスク制御装置の動作を示すフローチャートである。
【図４】図１に開示したディスク制御装置の動作を示すフローチャートである。
【図５】実施形態２におけるホスト装置とディスク制御装置との構成を示す機能ブロック図である。
【図６】実施形態３におけるディスク制御装置の構成を示す機能ブロック図である。
【図７】実施形態４における通信装置の構成を示す機能ブロック図である。
【符号の説明】
【０１０８】
１００，２００  ディスク制御装置
１０１，２０１  ディスク制御回路
１０２，２０２  ＳＥＲＤＥＳ回路
１１０，２１０  電源制御用マイコン
１１１，２１１，４１１  ４Ｂ−５Ｂ変換器
１１２，２１２，４１２  ＭＬＴ−３変換器
１１３，２１３，４１３，５１３  基準クロック
１１４，２１４，４１４  周波数変調器
１１５，２１５  周波数復調器
１１６，２１６  ＭＬＴ−３逆変換器
１１７，２１７  ５Ｂ−４Ｂ変換器
１２０，５２０  信号重畳部
１３０，５３０  信号抽出部
３００  通信ケーブル
４００  ホスト装置
４０１  ディスク制御部
４０２  ＳＥＲＤＥＳ部
４１０  電源制御部
５００  通信装置
５０２  送受信部
５１０  信号制御部
【図１】
2010068428.tif 000003
【図２】
2010068428.tif 000004
【図３】
2010068428.tif 000005
【図４】
2010068428.tif 000006
【図５】
2010068428.tif 000007
【図６】
2010068428.tif 000008
【図７】
2010068428.tif 000009